(57)【特許請求の範囲】
【請求項１】
複数のレンズが主走査方向に沿って設けられたレンズアレイプレートと、
前記レンズに対応する複数の貫通孔を有する遮光部材であって、前記貫通孔を分割する面によって分割された第１分割遮光部材および第２分割遮光部材から構成される遮光部材と、
を備え、
前記レンズアレイプレート、前記第１分割遮光部材および前記第２分割遮光部材は、それらの副走査方向の端部同士が連結された状態で一体的に形成されており、
前記レンズアレイプレート、前記第１分割遮光部材および前記第２分割遮光部材を連結する各連結部を折り曲げることにより、前記レンズが対応する貫通孔の正面に位置するように組み付けられることを特徴とするレンズアレイユニット。
【請求項２】
当該レンズアレイユニットが組み付けられた状態を維持するためのラッチ部をさらに備えることを特徴とする請求項１に記載のレンズアレイユニット。
【請求項３】
前記レンズと前記貫通孔との距離を規定するためのギャップ調整部をさらに備えることを特徴とする請求項１または２に記載のレンズアレイユニット。
【請求項４】
積層された２つの請求項１から３のいずれかに記載のレンズアレイユニットを備えることを特徴とする正立等倍レンズアレイ。
【請求項５】
複数のレンズが主走査方向に沿って設けられたレンズアレイプレートと、
前記レンズに対応する複数の貫通孔を有する遮光部材であって、前記複数の貫通孔の両開口端を通る面によって分割された第１分割遮光部材および第２分割遮光部材から構成される遮光部材と、
を備え、
前記レンズアレイプレートの一方の副走査方向端部は、前記第１分割遮光部材の一方の副走査方向端部と連結されており、前記レンズアレイプレートの他方の副走査方向端部は、前記第２分割遮光部材の一方の副走査方向端部と連結されており、
前記レンズアレイプレート、前記第１分割遮光部材および前記第２分割遮光部材は、一体的に形成されており、
前記レンズアレイプレート、前記第１分割遮光部材および前記第２分割遮光部材を連結する各連結部を折り曲げることにより、前記レンズが対応する貫通孔の正面に位置するように組み付けられることを特徴とするレンズアレイユニット。
【請求項６】
複数の第１レンズが主走査方向に沿って設けられた第１レンズアレイプレートと、
複数の第２レンズが主走査方向に沿って設けられた第２レンズアレイプレートと、
前記第１レンズおよび前記第２レンズに対応する複数の貫通孔を有する遮光部材であって、前記複数の貫通孔の両開口端を通る面によって分割された第１分割遮光部材および第２分割遮光部材から構成される遮光部材と、
を備え、
前記第１レンズアレイプレートの一方の副走査方向端部は、前記第２分割遮光部材の一方の副走査方向端部と連結されており、前記第１レンズアレイプレートの他方の副走査方向端部は、前記第１分割遮光部材の一方の副走査方向端部と連結されており、前記第１分割遮光部材の他方の副走査方向端部は、前記第２レンズアレイプレートの一方の副走査方向端部と連結されており、
前記第１レンズアレイプレート、前記第２レンズアレイプレート、前記第１分割遮光部材および前記第２分割遮光部材は、一体的に形成されており、
前記第１レンズアレイプレート、前記第２レンズアレイプレート、前記第１分割遮光部材および前記第２分割遮光部材を連結する各連結部を折り曲げることにより、前記第１レンズが前記貫通孔の一方の開口部の正面に位置し、前記第２レンズが前記貫通孔の他方の開口部の正面に位置するように組み付けられることを特徴とするレンズアレイユニット。
【請求項７】
当該レンズアレイユニットが組み付けられた状態を維持するためのラッチ部をさらに備えることを特徴とする請求項５または６に記載のレンズアレイユニット。
【請求項８】
前記第１レンズと前記貫通孔との距離を規定するための第１ギャップ調整部と、前記第２レンズと前記貫通孔との距離を規定するための第２ギャップ調整部と、をさらに備えることを特徴とする請求項６に記載のレンズアレイユニット。
【請求項９】
前記第１分割遮光部材と前記第２分割遮光部材とが接触する接触部に、凹凸嵌合構造が形成されていることを特徴とする請求項５から８のいずれかに記載のレンズアレイユニット。
【請求項１０】
積層された２つの請求項５から９のいずれかに記載のレンズアレイユニットを備えることを特徴とする正立等倍レンズアレイ。
【請求項１１】
２つのレンズアレイユニットは、それぞれのレンズが形成されていない面が対向するように積層されることを特徴とする請求項１０に記載の正立等倍レンズアレイ。
【請求項１２】
複数の第１レンズが主走査方向に沿って設けられた第１レンズアレイプレートと、
複数の第２レンズが一方の面に主走査方向に沿って設けられ、複数の第３レンズが他方の面に主走査方向に沿って設けられた第２レンズアレイプレートと、
複数の第４レンズが主走査方向に沿って設けられた第３レンズアレイプレートと、
前記第１レンズおよび前記第２レンズに対応する複数の第１貫通孔を有する第１遮光部材であって、前記複数の第１貫通孔の両開口端を通る面によって分割された第１分割遮光部材および第２分割遮光部材から構成される第１遮光部材と、
前記第３レンズおよび前記第４レンズに対応する複数の第２貫通孔を有する第２遮光部材であって、前記複数の第２貫通孔の両開口端を通る面によって分割された第３分割遮光部材および第４分割遮光部材から構成される第２遮光部材と、
を備え、
前記第１レンズアレイプレートと前記第１遮光部材は、一体的に形成されており、
前記第１レンズアレイプレートの一方の副走査方向端部は、前記第１分割遮光部材の一方の副走査方向端部と連結されており、前記第１レンズアレイプレートの他方の副走査方向端部は、前記第２分割遮光部材の一方の副走査方向端部と連結されており、
前記第１レンズアレイプレート、前記第１分割遮光部材および前記第２分割遮光部材を連結する各連結部を折り曲げることにより、前記第１レンズが前記第１貫通孔の一方の開口部の正面に位置するように組み付けられ、
前記第３レンズアレイプレートと前記第２遮光部材は、一体的に形成されており、
前記第３レンズアレイプレートの一方の副走査方向端部は、前記第３分割遮光部材の一方の副走査方向端部と連結されており、前記第３レンズアレイプレートの他方の副走査方向端部は、前記第４分割遮光部材の一方の副走査方向端部と連結されており、
前記第３レンズアレイプレート、前記第３分割遮光部材および前記第４分割遮光部材を連結する各連結部を折り曲げることにより、前記第４レンズが前記第２貫通孔の一方の開口部の正面に位置するように組み付けられ、
前記第２レンズが前記第１貫通孔の他方の開口部の正面に位置し、前記第３レンズが前記第２貫通孔の他方の開口部の正面に位置するように、前記第１レンズアレイプレート、前記第２レンズアレイプレートおよび前記第３レンズアレイプレートが積層されたことを特徴とする正立等倍レンズアレイ。
【請求項１３】
当該正立等倍レンズアレイが組み付けられた状態を維持するためのラッチ部をさらに備えることを特徴とする請求項１２に記載の正立等倍レンズアレイ。
【請求項１４】
前記第１レンズと前記第１貫通孔との距離を規定するための第１ギャップ調整部と、前記第２レンズと前記第１貫通孔との距離を規定するための第２ギャップ調整部と、前記第３レンズと前記第２貫通孔との距離を規定するための第３ギャップ調整部と、前記第４レンズと前記第２貫通孔との距離を規定するための第４ギャップ調整部と、をさらに備えることを特徴とする請求項１２または１３に記載の正立等倍レンズアレイ。
【請求項１５】
前記第１分割遮光部材と前記第２分割遮光部材とが接触する接触部に凹凸嵌合構造が形成され、前記第３分割遮光部材と前記第４分割遮光部材とが接触する接触部に凹凸嵌合構造が形成されていることを特徴とする請求項１２から１４のいずれかに記載の正立等倍レンズアレイ。
【請求項１６】
複数の第１レンズが主走査方向に沿って設けられた第１レンズアレイプレートと、
複数の第２レンズが主走査方向に沿って設けられた第２レンズアレイプレートと、
前記第１レンズおよび前記第２レンズに対応する複数の貫通孔を有する遮光部材であって、前記複数の貫通孔の中心軸と交差する面によって分割された第１分割遮光部材および第２分割遮光部材から構成される遮光部材と、
を備え、
前記第１レンズアレイプレートの一方の副走査方向端部は、第１分割遮光部材の一方の副走査方向端部と連結されており、前記第１分割遮光部材の他方の端部は、前記第２分割遮光部材の一方の副走査方向端部と連結されており、前記第２分割遮光部材の他方の副走査方向端部は、前記第２レンズアレイプレートの一方の副走査方向端部と連結されており、
前記第１レンズアレイプレート、前記第２レンズアレイプレート、前記第１分割遮光部材および前記第２分割遮光部材は、一体的に形成されており、
前記第１レンズアレイプレート、前記第２レンズアレイプレート、前記第１分割遮光部材および前記第２分割遮光部材を連結する各連結部を折り曲げることにより、前記第１レンズが前記貫通孔の一方の開口部の正面に位置し、前記第２レンズが前記貫通孔の他方の開口部の正面に位置するように組み付けられることを特徴とするレンズアレイユニット。
【請求項１７】
当該レンズアレイユニットが組み付けられた状態を維持するためのラッチ部をさらに備えることを特徴とする請求項１６に記載のレンズアレイユニット。
【請求項１８】
前記第１レンズと前記貫通孔との距離を規定するための第１ギャップ調整部と、前記第２レンズと前記貫通孔との距離を規定するための第２ギャップ調整部とをさらに備えることを特徴とする請求項１６または１７に記載のレンズアレイユニット。
【請求項１９】
前記第１分割遮光部材と前記第２分割遮光部材とが接触する接触部に、凹凸嵌合構造が形成されていることを特徴とする請求項１６から１８のいずれかに記載のレンズアレイユニット。
【請求項２０】
積層された２つの請求項１６から１９のいずれかに記載のレンズアレイユニットを備えることを特徴とする正立等倍レンズアレイ。
【請求項２１】
２つのレンズアレイユニットは、それぞれのレンズが形成されていない面が対向するように積層されることを特徴とする請求項２０に記載の正立等倍レンズアレイ。
【請求項２２】
複数の第１レンズが主走査方向に沿って設けられた第１レンズアレイプレートと、
複数の第２レンズが一方の面に主走査方向に沿って設けられ、複数の第３レンズが他方の面に主走査方向に沿って設けられた第２レンズアレイプレートと、
複数の第４レンズが主走査方向に沿って設けられた第３レンズアレイプレートと、
前記第１レンズおよび前記第２レンズに対応する複数の第１貫通孔を有する第１遮光部材であって、前記複数の第１貫通孔の中心軸と交差する面によって分割された第１分割遮光部材および第２分割遮光部材から構成される第１遮光部材と、
前記第３レンズおよび前記第４レンズに対応する複数の第２貫通孔を有する第２遮光部材であって、前記複数の第２貫通孔の中心軸と交差する面によって分割された第３分割遮光部材および第４分割遮光部材から構成される第２遮光部材と、
を備え、
前記第１レンズアレイプレート、前記第２レンズアレイプレート、第３レンズアレイプレート、前記第１遮光部材および前記第２遮光部材は、一体的に形成されており、
前記第１レンズアレイプレートの一方の副走査方向端部は、前記第１分割遮光部材の一方の副走査方向端部と連結されており、前記第１分割遮光部材の他方の副走査方向端部は、前記第２分割遮光部材の一方の副走査方向端部と連結されており、前記第２分割遮光部材の他方の副走査方向端部は、前記第２レンズアレイプレートの一方の副走査方向端部と連結されており、前記第２レンズアレイプレートの他方の副走査方向端部は、前記第３分割遮光部材の一方の副走査方向端部と連結されており、前記第３分割遮光部材の他方の副走査方向端部は、前記第４分割遮光部材の一方の副走査方向端部と連結されており、前記第４分割遮光部材の他方の副走査方向端部は、前記第３レンズアレイプレートの一方の副走査方向端部と連結されており、
前記第１レンズアレイプレート、前記第１分割遮光部材、前記第２分割遮光部材、前記第２レンズアレイプレート、前記第３分割遮光部材、前記第４分割遮光部材および前記第３レンズアレイプレートを連結する各連結部を折り曲げることにより、前記第１レンズが前記第１貫通孔の一方の開口部の正面に位置し、前記第２レンズが前記第１貫通孔の他方の開口部の正面に位置し、前記第３レンズが前記第２貫通孔の一方の開口部の正面に位置し、前記第４レンズが前記第２貫通孔の他方の開口部の正面に位置するように組み付けられることを特徴とする正立等倍レンズアレイ。
【請求項２３】
当該正立等倍レンズアレイが組み付けられた状態を維持するためのラッチ部をさらに備えることを特徴とする請求項２２に記載の正立等倍レンズアレイ。
【請求項２４】
前記第１レンズと前記第１貫通孔との距離を規定するための第１ギャップ調整部と、前記第２レンズと前記第１貫通孔との距離を規定するための第２ギャップ調整部と、前記第３レンズと前記第２貫通孔との距離を規定するための第３ギャップ調整部と、前記第４レンズと前記第２貫通孔との距離を規定するための第４ギャップ調整部と、をさらに備えることを特徴とする請求項２２または２３に記載の正立等倍レンズアレイ。
【請求項２５】
前記第１分割遮光部材と前記第２分割遮光部材とが接触する接触部に、凹凸嵌合構造が形成されていることを特徴とする請求項２２から２４のいずれかに記載の正立等倍レンズアレイ。
【請求項２６】
請求項１から２５のいずれかに記載のレンズアレイユニットまたは正立等倍レンズアレイを備えることを特徴とする光走査ユニット。
【請求項２７】
請求項２６に記載の光走査ユニットを備えることを特徴とする画像読取装置。
【請求項２８】
複数のＬＥＤがアレイ状に配列されたＬＥＤアレイと、
前記ＬＥＤアレイから出射された光を集光する請求項１から２５のいずれかに記載のレンズアレイユニットまたは正立等倍レンズアレイと、
前記レンズアレイユニットまたは正立等倍レンズアレイを透過した光を受光する感光体ドラムと、
を備えることを特徴とする画像書込装置。
【発明の詳細な説明】
【技術分野】
【０００１】
本発明は、画像読取装置や画像形成装置に用いられるレンズアレイユニットに関する。
【背景技術】
【０００２】
従来、スキャナ等の画像読取装置として、正立等倍結像光学系を用いた装置が知られている。正立等倍結像光学系を用いた場合、縮小結像光学系の場合よりも装置をコンパクトにすることができる。画像読取装置の場合、正立等倍結像光学系は、ライン状光源と、正立等倍レンズアレイと、ラインイメージセンサから構成される。
【０００３】
正立等倍結像光学系における正立等倍レンズアレイとしては、従来、正立等倍像を結像可能なロッドレンズアレイが用いられてきたが、近年では、両面に複数の微小凸レンズを規則的に配列した透明なレンズアレイプレートを、個々の凸レンズの光軸が一致するように２枚積層したものが提案されている。
【０００４】
上記のような正立等倍レンズアレイは、隣接したレンズ間に光線を隔離するための壁が無いため、正立等倍レンズアレイに斜めに入射した光線が、プレート内部を斜めに進んで隣接した凸レンズに入り込み、出射してノイズ（ゴーストともいう）を形成するという問題がある。ゴーストを形成する結像に寄与しない光は、迷光と呼ばれる。
【０００５】
従来、この迷光対策のため、２枚のレンズアレイプレートの上下に遮光部材を設けるとともに、２枚のレンズアレイプレートの間に遮光部材を設ける技術が開示されている（例えば、特許文献１参照）。
【先行技術文献】
【特許文献】
【０００６】
【特許文献１】特開２０１１−１７８４０号公報
【発明の概要】
【発明が解決しようとする課題】
【０００７】
２枚のレンズアレイプレートと３つの遮光部材を積層して正立等倍レンズアレイを形成する方式の場合、部品点数が多く、高価になるという課題がある。
【０００８】
本発明はこうした状況に鑑みてなされたものであり、その目的は、安価なレンズアレイユニット、正立等倍レンズアレイ、光走査ユニット、画像読取装置および画像書込装置を提供することにある。
【課題を解決するための手段】
【０００９】
上記課題を解決するために、本発明のある態様のレンズアレイユニットは、複数のレンズが主走査方向に沿って設けられたレンズアレイプレートと、レンズに対応する複数の貫通孔を有する遮光部材とを備える。レンズアレイプレートと遮光部材は、副走査方向の端部同士が連結された状態で一体的に形成されている。レンズアレイユニットは、レンズアレイプレートと遮光部材の連結部を折り曲げることにより、レンズが対応する貫通孔の正面に位置するように組み付けられる。
【００１０】
当該レンズアレイユニットが組み付けられた状態を維持するためのラッチ部をさらに備えてもよい。
【００１１】
レンズと貫通孔との距離を規定するためのギャップ調整部をさらに備えてもよい。
【００１２】
第１分割遮光部材と第２分割遮光部材とが接触する接触部に、凹凸嵌合構造が形成されてもよい。
【００１３】
本発明の別な態様は、正立等倍レンズアレイである。この正立等倍レンズアレイは、積層された２つの前記レンズアレイユニットを備える。
【００１４】
本発明の別の態様もまた、レンズアレイユニットである。このレンズアレイユニットは、複数の第１レンズが主走査方向に沿って設けられた第１レンズアレイプレートと、複数の第２レンズが主走査方向に沿って設けられた第２レンズアレイプレートと、第１レンズおよび第２レンズに対応する複数の貫通孔を有する遮光部材であって、複数の貫通孔の両開口端を通る面によって分割された第１分割遮光部材および第２分割遮光部材から構成される遮光部材とを備える。第１レンズアレイプレートの一方の副走査方向端部は、第２分割遮光部材の一方の副走査方向端部と連結されており、第１レンズアレイプレートの他方の副走査方向端部は、第１分割遮光部材の一方の副走査方向端部と連結されており、第１分割遮光部材の他方の副走査方向端部は、第２レンズアレイプレートの一方の副走査方向端部と連結されており、第１レンズアレイプレート、第２レンズアレイプレート、第１分割遮光部材および第２分割遮光部材は、一体的に形成されている。レンズアレイユニットは、第１レンズアレイプレート、第２レンズアレイプレート、第１分割遮光部材および第２分割遮光部材を連結する各連結部を折り曲げることにより、第１レンズが貫通孔の一方の開口部の正面に位置し、第２レンズが貫通孔の他方の開口部の正面に位置するように組み付けられる。
【００１５】
本発明の別な態様もまた、正立等倍レンズアレイである。この正立等倍レンズアレイは、積層された２つの前記レンズアレイユニットを備える。２つのレンズアレイユニットは、それぞれのレンズが形成されていない面が対向するように積層されてもよい。
【００１６】
本発明のさらに別な態様もまた、正立等倍レンズアレイである。この正立等倍レンズアレイは、複数の第１レンズが主走査方向に沿って設けられた第１レンズアレイプレートと、複数の第２レンズが一方の面に主走査方向に沿って設けられ、複数の第３レンズが他方の面に主走査方向に沿って設けられた第２レンズアレイプレートと、複数の第４レンズが主走査方向に沿って設けられた第３レンズアレイプレートと、第１レンズおよび第２レンズに対応する複数の第１貫通孔を有する第１遮光部材であって、複数の第１貫通孔の両開口端を通る面によって分割された第１分割遮光部材および第２分割遮光部材から構成される第１遮光部材と、第３レンズおよび第４レンズに対応する複数の第２貫通孔を有する第２遮光部材であって、複数の第２貫通孔の両開口端を通る面によって分割された第３分割遮光部材および第４分割遮光部材から構成される第２遮光部材とを備える。第１レンズアレイプレートと第１遮光部材は、一体的に形成されており、第１レンズアレイプレートの一方の副走査方向端部は、第１分割遮光部材の一方の副走査方向端部と連結されており、第１レンズアレイプレートの他方の副走査方向端部は、第２分割遮光部材の一方の副走査方向端部と連結されている。第１レンズアレイプレート、第１分割遮光部材および第２分割遮光部材を連結する各連結部を折り曲げることにより、第１レンズが第１貫通孔の一方の開口部の正面に位置するように組み付けられる。第３レンズアレイプレートと第２遮光部材は、一体的に形成されており、第３レンズアレイプレートの一方の副走査方向端部は、第３分割遮光部材の一方の副走査方向端部と連結されており、第３レンズアレイプレートの他方の副走査方向端部は、第４分割遮光部材の一方の副走査方向端部と連結されている。第３レンズアレイプレート、第３分割遮光部材および第４分割遮光部材を連結する各連結部を折り曲げることにより、第４レンズが第２貫通孔の一方の開口部の正面に位置するように組み付けられる。第２レンズが第１貫通孔の他方の開口部の正面に位置し、第３レンズが第２貫通孔の他方の開口部の正面に位置するように、第１レンズアレイプレート、第２レンズアレイプレートおよび第３レンズアレイプレートが積層される。
【００１７】
上述の正立等倍レンズアレイは、組み付けられた状態を維持するためのラッチ部をさらに備えてもよい。
【００１８】
また、第１レンズと第１貫通孔との距離を規定するための第１ギャップ調整部と、第２レンズと第１貫通孔との距離を規定するための第２ギャップ調整部と、第３レンズと第２貫通孔との距離を規定するための第３ギャップ調整部と、第４レンズと第２貫通孔との距離を規定するための第４ギャップ調整部とをさらに備えてもよい。
【００１９】
また、第１分割遮光部材と第２分割遮光部材とが接触する接触部に凹凸嵌合構造が形成され、第３分割遮光部材と第４分割遮光部材とが接触する接触部に凹凸嵌合構造が形成されてもよい。
【００２０】
本発明のさらに別な態様もまた、レンズアレイユニットである。このレンズアレイユニットは、複数の第１レンズが主走査方向に沿って設けられた第１レンズアレイプレートと、複数の第２レンズが主走査方向に沿って設けられた第２レンズアレイプレートと、第１レンズおよび第２レンズに対応する複数の貫通孔を有する遮光部材であって、前記複数の貫通孔の中心軸と交差する面によって分割された第１分割遮光部材および第２分割遮光部材から構成される遮光部材とを備える。第１レンズアレイプレートの一方の副走査方向端部は、第１分割遮光部材の一方の副走査方向端部と連結されており、第１分割遮光部材の他方の端部は、第２分割遮光部材の一方の副走査方向端部と連結されており、第２分割遮光部材の他方の副走査方向端部は、第２レンズアレイプレートの一方の副走査方向端部と連結されている。第１レンズアレイプレート、第２レンズアレイプレート、第１分割遮光部材および第２分割遮光部材は、一体的に形成されており、第１レンズアレイプレート、第２レンズアレイプレート、第１分割遮光部材および第２分割遮光部材を連結する各連結部を折り曲げることにより、第１レンズが貫通孔の一方の開口部の正面に位置し、第２レンズが貫通孔の他方の開口部の正面に位置するように組み付けられる。
【００２１】
上述のレンズアレイユニットは、組み付けられた状態を維持するためのラッチ部をさらに備えてもよい。
【００２２】
また、第１レンズと貫通孔との距離を規定するための第１ギャップ調整部と、第２レンズと貫通孔との距離を規定するための第２ギャップ調整部とをさらに備えてもよい。
【００２３】
第１分割遮光部材と第２分割遮光部材とが接触する接触部に、凹凸嵌合構造が形成されてもよい。
【００２４】
本発明のさらに別な態様もまた、正立等倍レンズアレイである。この正立等倍レンズアレイは、複数の第１レンズが主走査方向に沿って設けられた第１レンズアレイプレートと、複数の第２レンズが一方の面に主走査方向に沿って設けられ、複数の第３レンズが他方の面に主走査方向に沿って設けられた第２レンズアレイプレートと、複数の第４レンズが主走査方向に沿って設けられた第３レンズアレイプレートと、第１レンズおよび第２レンズに対応する複数の第１貫通孔を有する第１遮光部材であって、前記複数の第１貫通孔の中心軸と交差する面によって分割された第１分割遮光部材および第２分割遮光部材から構成される第１遮光部材と、第３レンズおよび第４レンズに対応する複数の第２貫通孔を有する第２遮光部材であって、前記複数の第２貫通孔の中心軸と交差する面によって分割された第３分割遮光部材および第４分割遮光部材から構成される第２遮光部材とを備える。第１レンズアレイプレート、第２レンズアレイプレート、第３レンズアレイプレート、第１遮光部材および第２遮光部材は、一体的に形成されており、第１レンズアレイプレートの一方の副走査方向端部は、第１分割遮光部材の一方の副走査方向端部と連結されており、第１分割遮光部材の他方の副走査方向端部は、第２分割遮光部材の一方の副走査方向端部と連結されており、第２分割遮光部材の他方の副走査方向端部は、第２レンズアレイプレートの一方の副走査方向端部と連結されており、第２レンズアレイプレートの他方の副走査方向端部は、第３分割遮光部材の一方の副走査方向端部と連結されており、第３分割遮光部材の他方の副走査方向端部は、第４分割遮光部材の一方の副走査方向端部と連結されており、第４分割遮光部材の他方の副走査方向端部は、第３レンズアレイプレートの一方の副走査方向端部と連結されている。第１レンズアレイプレート、第１分割遮光部材、第２分割遮光部材、第２レンズアレイプレート、第３分割遮光部材、第４分割遮光部材および第３レンズアレイプレートを連結する各連結部を折り曲げることにより、第１レンズが第１貫通孔の一方の開口部の正面に位置し、第２レンズが第１貫通孔の他方の開口部の正面に位置し、第３レンズが第２貫通孔の一方の開口部の正面に位置し、第４レンズが第２貫通孔の他方の開口部の正面に位置するように組み付けられる。
【００２５】
上述の正立等倍レンズアレイは、組み付けられた状態を維持するためのラッチ部をさらに備えてもよい。
【００２６】
また、第１レンズと第１貫通孔との距離を規定するための第１ギャップ調整部と、第２レンズと第１貫通孔との距離を規定するための第２ギャップ調整部と、第３レンズと第２貫通孔との距離を規定するための第３ギャップ調整部と、第４レンズと第２貫通孔との距離を規定するための第４ギャップ調整部とをさらに備えてもよい。
【００２７】
また、第１分割遮光部材と第２分割遮光部材とが接触する接触部に凹凸嵌合構造が形成され、第３分割遮光部材と第４分割遮光部材とが接触する接触部に凹凸嵌合構造が形成されてもよい。
【００２８】
本発明のさらに別の態様は、上述のレンズアレイユニットまたは正立等倍レンズアレイを備える光走査ユニットである。
【００２９】
本発明のさらに別の態様は、上述の光走査ユニットと、該光走査ユニットによって検出された画像信号を処理する画像処理部とを備える画像読取装置である。
【００３０】
本発明のさらに別の態様は、複数のＬＥＤがアレイ状に配列されたＬＥＤアレイと、ＬＥＤアレイから出射された光を集光する上述のレンズアレイユニットまたは正立等倍レンズアレイと、該レンズアレイユニットまたは正立等倍レンズアレイを透過した光を受光する感光体ドラムとを備える画像書込装置である。
【発明の効果】
【００３１】
本発明によれば、安価なレンズアレイユニット、正立等倍レンズアレイ、光走査ユニット、画像読取装置および画像書込装置を提供できる。
【図面の簡単な説明】
【００３２】
【図１】本発明の第１実施形態に係るレンズアレイユニットを用いた画像読取装置を説明するための図である。
【図２】正立等倍レンズアレイの副走査方向の断面図である。
【図３】図３（ａ）〜（ｄ）は、第１実施形態に係るレンズアレイユニットの形成方法を説明するための図である。
【図４】図３（ａ）に示す第１ステップにおける第１レンズアレイユニットの斜視図である。
【図５】図３（ｄ）に示す第４ステップにおける第１レンズアレイユニットの斜視図である。
【図６】本発明の第２実施形態に係る正立等倍レンズアレイの断面図である。
【図７】本発明の第３実施形態に係る正立等倍レンズアレイを示す図である。
【図８】本発明の第３実施形態に係る正立等倍レンズアレイの分解図である。
【図９】本発明の第４実施形態に係る正立等倍レンズアレイを示す図である。
【図１０】本発明の第４実施形態に係る正立等倍レンズアレイの分解図である。
【図１１】本発明の第５実施形態に係る正立等倍レンズアレイを示す図である。
【図１２】本発明の第５実施形態に係る正立等倍レンズアレイの分解図である。
【図１３】本発明の第６実施形態に係る正立等倍レンズアレイを示す図である。
【図１４】本発明の第６実施形態に係る正立等倍レンズアレイの分解図である。
【図１５】本発明の第７実施形態に係る正立等倍レンズアレイを示す図である。
【図１６】本発明の第７実施形態に係る正立等倍レンズアレイの分解図である。
【図１７】図１７（ａ）〜図１７（ｃ）は、分割遮光部材の貫通孔周辺の拡大図である。
【図１８】図１８（ａ）および（ｂ）は、第１〜第４実施形態における遮光部材の分割方法の変形例を説明するための図である。
【図１９】図１９（ａ）および（ｂ）は、第１〜第４実施形態における遮光部材の別の分割方法の変形例を説明するための図である。
【図２０】図２０（ａ）および（ｂ）は、第１〜第４実施形態における遮光部材の分割方法のさらに別の変形例を説明するための図である。
【図２１】図２１（ａ）および（ｂ）は、第１〜第４実施形態における遮光部材の分割方法のさらに別の変形例を説明するための図である。
【図２２】図２２（ａ）および（ｂ）は、第５〜第７実施形態における遮光部材の分割方法の変形例を説明するための図である。
【図２３】図２３（ａ）および（ｂ）は、第５〜第７実施形態における遮光部材の分割方法の別の変形例を説明するための図である。
【図２４】本発明の別の実施形態に係る画像書込装置を説明するための図である。
【発明を実施するための形態】
【００３３】
以下、本発明の実施形態に係るレンズアレイユニットについて説明する。
【００３４】
図１は、本発明の第１実施形態に係るレンズアレイユニットを用いた画像読取装置１００を説明するための図である。図１に示すように、画像読取装置１００は、光走査ユニット１０、原稿Ｇを載置する原稿台としてのガラス板１４、光走査ユニット１０を走査する駆動機構（図示せず）、光走査ユニット１０によって読み取られたデータを処理する画像処理部（図示せず）等を備える。
【００３５】
光走査ユニット１０は、ガラス板１４上に載置された原稿Ｇに光を照射するライン状光源１６と、原稿Ｇからの反射光を集光する正立等倍レンズアレイ１１と、正立等倍レンズアレイ１１により集光された光を受けるラインイメージセンサ（光電変換素子）２０と、ライン状光源１６、正立等倍レンズアレイ１１およびラインイメージセンサ２０を収容する筐体１２とを備える。
【００３６】
筐体１２は、略直方体形状に形成されており、筐体１２の上面には第１凹部１２ａおよび第２凹部１２ｂが形成され、下面には第３凹部１２ｃが形成されている。筐体１２は、樹脂の射出成形により形成される。射出成形により筐体１２を形成することにより、筐体１２を容易に形成でき、安価とすることができる。第１凹部１２ａ内には、ライン状光源１６が斜めに固定されている。ライン状光源１６は、照射光の光軸が、正立等倍レンズアレイ１１の光軸Ａｘとガラス板１４の上面との交点を通るように固定される。
【００３７】
第２凹部１２ｂには、正立等倍レンズアレイ１１が固定されている。第３凹部１２ｃには、ラインイメージセンサ２０を備えた基板２２が取り付けられている。基板２２は、その上面が第３凹部１２ｃに設けられた段差部１２ｄに当接するように固定されている。
【００３８】
正立等倍レンズアレイ１１は、その長手方向が主走査方向に、短手方向が副走査方向に一致するように画像読取装置１００に装着される。正立等倍レンズアレイ１１は、上方に位置する原稿Ｇから反射されたライン状の光を受けて、下方に位置する像面、すなわちラインイメージセンサ２０の受光面に正立等倍像を形成する。画像読取装置１００は、光走査ユニット１０を副走査方向に走査することにより、原稿Ｇを読み取ることができる。
【００３９】
以下、正立等倍レンズアレイ１１についてより詳細に説明する。
【００４０】
図２は、正立等倍レンズアレイ１１の副走査方向の断面図である。図２に示すように、正立等倍レンズアレイ１１は、第１レンズアレイユニット２４ａと、第２レンズアレイユニット２４ｂの２つのレンズアレイユニットが積層された構造となっている。第１レンズアレイユニット２４ａと第２レンズアレイユニット２４ｂは、同一構造を有する。
【００４１】
第１レンズアレイユニット２４ａは、第１レンズアレイプレート２５ａと第２レンズアレイプレート２５ｂとの間に、迷光を遮断するための第１遮光部材２６ａが設けられた構造となっている。
【００４２】
第１レンズアレイプレート２５ａおよび第２レンズアレイプレート２５ｂは、長方形状のプレートであり、それらの一方の面には複数の凸レンズが形成されている。すなわち、第１レンズアレイプレート２５ａの下面（第１遮光部材２６ａ側の面）には、複数の第１レンズ２７ａが主走査方向（長手方向）に沿って一列に配置されており、第２レンズアレイプレート２５ｂの上面（第１遮光部材２６ａ側の面）には、複数の第２レンズ２７ｂが主走査方向（長手方向）に沿って一列に配置されている。本第１実施形態では、第１レンズ２７ａおよび第２レンズ２７ｂの形状を球面としたが、非球面であってもよい。
【００４３】
第１遮光部材２６ａは、組立後は長方形の板状部材である。第１遮光部材２６ａには、長手方向に沿って一列に、第１レンズ２７ａおよび第２レンズ２７ｂと対応する複数の第１貫通孔３０ａが形成されている。第１貫通孔３０ａは、円柱、楕円柱または多角柱状の貫通孔であり、その開口部の大きさは、第１レンズ２７ａおよび第２レンズ２７ｂの開口部の大きさより小さいか、略同じ大きさであるように形成される。
【００４４】
第１レンズアレイプレート２５ａと第２レンズアレイプレート２５ｂの間に第１遮光部材２６ａが挟まれた状態において、第１レンズ２７ａおよび第２レンズ２７ｂは、対応する第１貫通孔３０ａの正面に位置している。この状態において、対応する第１レンズ２７ａおよび第２レンズ２７ｂの光軸と、軸対象である第１貫通孔３０ａの中心軸とは一致している。また、中心軸を特定できない形状からなる貫通孔の場合、同軸性の要請はその形状の決定とともに希求性能に応じて、設計者の裁量によって決めることができる。
【００４５】
第１遮光部材２６ａは、複数の第１貫通孔３０ａの中心を通る面（分割面と呼ぶ）にて分割された第１分割遮光部材３１ａおよび第２分割遮光部材３１ｂから構成されている。第１分割遮光部材３１ａに形成された第１分割貫通孔３２ａと、第２分割遮光部材３１ｂに形成された第２分割貫通孔３２ｂとが組み合わされて、第１貫通孔３０ａが形成される。なお、分割面は、必ずしも第１貫通孔３０ａの中心を通る面である必要はなく、複数の第１貫通孔３０ａの両開口端を通る面であればよい。
【００４６】
第２レンズアレイユニット２４ｂは、第３レンズアレイプレート２５ｃと第４レンズアレイプレート２５ｄとの間に、迷光を遮断するための第２遮光部材２６ｂが設けられた構造となっている。
【００４７】
第３レンズアレイプレート２５ｃおよび第４レンズアレイプレート２５ｄは、長方形状のプレートであり、それらの一方の面には複数の凸レンズが形成されている。すなわち、第３レンズアレイプレート２５ｃの上面（第２遮光部材２６ｂ側の面）には、複数の第３レンズ２７ｃが主走査方向（長手方向）に沿って一列に配置されており、第４レンズアレイプレート２５ｄの下面（第２遮光部材２６ｂ側の面）には、複数の第４レンズ２７ｄが主走査方向（長手方向）に沿って一列に配置されている。本第１実施形態では、第３レンズ２７ｃおよび第４レンズ２７ｄの形状を球面としたが、非球面であってもよい。
【００４８】
第２遮光部材２６ｂは、組立後は長方形の板状部材である。第２遮光部材２６ｂには、長手方向に沿って一列に、第３レンズ２７ｃおよび第４レンズ２７ｄと対応する複数の第２貫通孔３０ｂが形成されている。第２貫通孔３０ｂは、円柱、楕円柱または多角柱状の貫通孔であり、その開口部の大きさは、第３レンズ２７ｃおよび第４レンズ２７ｄの開口部の大きさより小さいか、略同じ大きさであるように形成される。
【００４９】
第３レンズアレイプレート２５ｃと第４レンズアレイプレート２５ｄの間に第２遮光部材２６ｂが挟まれた状態において、第３レンズ２７ｃおよび第４レンズ２７ｄは、対応する第２貫通孔３０ｂの正面に位置している。この状態において、対応する第３レンズ２７ｃおよび第４レンズ２７ｄの光軸と、第２貫通孔３０ｂの中心軸とは一致している。また、中心軸を特定できない形状からなる貫通孔の場合、同軸性の要請はその形状の決定とともに希求性能に応じて、設計者の裁量によって決めることができる。
【００５０】
第２遮光部材２６ｂは、複数の第２貫通孔３０ｂの中心を通る分割面にて分割された第３分割遮光部材３１ｃおよび第４分割遮光部材３１ｄから構成されている。第３分割遮光部材３１ｃに形成された第３分割貫通孔３２ｃと、第４分割遮光部材３１ｄに形成された第４分割貫通孔３２ｄとが組み合わされて、第２貫通孔３０ｂが形成される。なお、分割面は、必ずしも第２貫通孔３０ｂの中心を通る面である必要はなく、複数の第２貫通孔３０ｂの両開口端を通る面であればよい。
【００５１】
上述のように構成された第１レンズアレイユニット２４ａおよび第２レンズアレイユニット２４ｂは、第２レンズアレイプレート２５ｂの凸レンズが形成されていない面と、第４レンズアレイプレート２５ｄの凸レンズが形成されていない面とを対向させた状態で積層される。積層状体において、対応する第１レンズ２７ａ、第２レンズ２７ｂ、第３レンズ２７ｃおよび第４レンズ２７ｄは、共軸のレンズ系を構成している。
【００５２】
正立等倍レンズアレイ１１は、第１レンズアレイプレート２５ａがガラス板１４と対向し、第３レンズアレイプレート２５ｃがラインイメージセンサ２０と対向するように筐体１２の第２凹部１２ｂに取り付けられる。図２においては、第２レンズアレイプレート２５ｂと第４レンズアレイプレート２５ｄとが当接した状態を示すが、実際の光学系を構成する場面においては、第１レンズアレイユニット２４ａの第１レンズアレイプレート２５ａまたは第２レンズアレイプレート２５ｂのいずれか一方と、第２レンズアレイユニット２４ｂの第３レンズアレイプレート２５ｃまたは第４レンズアレイプレート２５ｄのいずれか一方とが当接される状態で積層させることができ、設計者が任意に選択できる。
【００５３】
図３（ａ）〜（ｄ）は、本第１実施形態に係るレンズアレイユニットの形成方法を説明するための図である。上述したように、第１レンズアレイユニット２４ａおよび第２レンズアレイユニット２４ｂは同一構造を有するので、ここでは第１レンズアレイユニット２４ａを例として説明する。
【００５４】
図３（ａ）は、第１レンズアレイユニット２４ａを組み立てるための第１ステップを説明するための図である。第１ステップにおいては、図３（ａ）に示すように第１レンズアレイプレート２５ａ、第２レンズアレイプレート２５ｂ、第１分割遮光部材３１ａおよび第２分割遮光部材３１ｂを一体的に形成した部品を準備する。理解を容易とするために、図４に第１ステップにおける第１レンズアレイユニット２４ａの斜視図を示す。
【００５５】
図３（ａ）および図４に示すように、第１レンズアレイプレート２５ａの一方の副走査方向端部は、第２分割遮光部材３１ｂの一方の副走査方向端部と第１連結部４０を介して連結されている。また、第１レンズアレイプレート２５ａの他方の副走査方向端部は、第１分割遮光部材３１ａの一方の副走査方向端部と第２連結部４１を介して連結されている。第１分割遮光部材３１ａの他方の副走査方向端部は、第２レンズアレイプレート２５ｂの一方の副走査方向端部と第３連結部４２を介して連結されている。
【００５６】
第１レンズアレイユニット２４ａは、第１レンズアレイプレート２５ａおよび第２レンズアレイプレート２５ｂに透光性材料を用い、第１分割遮光部材３１ａおよび第２分割遮光部材３１ｂに遮光性材料を用いた二色射出成形により形成することができる。透光性材料としては、必要な波長帯域の光に対して光透過性が高く、吸水性の低いものが望ましく、例えばシクロオレフィン系樹脂や、オレフィン系樹脂、ノルボルネン系樹脂、ポリカーボネートなどを例示できる。遮光性材料としては、射出成型に使用可能で、且つ必要な波長帯域の光に対して遮光性が高い材料が望ましく、たとえば黒色のＡＢＳ樹脂を例示することができる。
【００５７】
あるいは、第１レンズアレイユニット２４ａは、透光性材料を用いて第１レンズアレイプレート２５ａ、第２レンズアレイプレート２５ｂ、第１分割遮光部材３１ａおよび第２分割遮光部材３１ｂを射出成形により形成した後に、第１分割遮光部材３１ａおよび第２分割遮光部材３１ｂのみに黒色印刷または黒色塗装を行うことにより形成することもできる。
【００５８】
図３（ｂ）は、第１レンズアレイユニット２４ａを組み立てるための第２ステップを説明するための図である。第２ステップにおいては、第１レンズアレイプレート２５ａと第２分割遮光部材３１ｂとを連結する第１連結部４０を折り曲げて、第２分割貫通孔３２ｂを第１レンズ２７ａの正面に位置させる。
【００５９】
図３（ｃ）は、第１レンズアレイユニット２４ａを組み立てるための第３ステップを説明するための図である。第３ステップにおいては、第１レンズアレイプレート２５ａと第１分割遮光部材３１ａとを連結する第２連結部４１を折り曲げて、第１分割貫通孔３２ａを第１レンズ２７ａの正面に位置させる。このとき、第１分割貫通孔３２ａと第２分割貫通孔３２ｂとにより、第１レンズ２７ａの正面に第１貫通孔３０ａが形成される。
【００６０】
本第１実施形態においては、第１レンズアレイプレート２５ａにおける第１レンズ２７ａが形成された面上に、第１ギャップ調整部４６ａが形成されている。第１ギャップ調整部４６ａは、第１レンズ２７ａと第１貫通孔３０ａの距離を規定する機能を有する。
【００６１】
図３（ｄ）は、第１レンズアレイユニット２４ａを組み立てるための第４ステップを説明するための図である。第４ステップにおいては、第１分割遮光部材３１ａと第２レンズアレイプレート２５ｂとを連結する第３連結部４２を折り曲げて、第２レンズ２７ｂを第１貫通孔３０ａの正面に位置させる。理解を容易とするために、図５に第４ステップにおける第１レンズアレイユニット２４ａの斜視図を示す。
【００６２】
本第１実施形態においては、第２レンズアレイプレート２５ｂにおける第２レンズ２７ｂが形成された面上に、第２ギャップ調整部４６ｂが形成されている。第２ギャップ調整部４６ｂは、第２レンズ２７ｂと第１貫通孔３０ａの距離を規定する機能を有する。
【００６３】
本第１実施形態において、第２分割遮光部材３１ｂにおける第１連結部４０と反対側の副走査方向端部には、ラッチ部４５が形成されている。第４ステップにおいて、第２レンズアレイプレート２５ｂにおける第３連結部４２と反対側の副走査方向端部をラッチ部４５に係合させることにより、第１レンズアレイユニット２４ａの組み付け状態が維持される。
【００６４】
以上説明したように、本第１実施形態に係る正立等倍レンズアレイ１１においては、レンズアレイユニットを２つのレンズアレイプレートと２つの分割遮光部材を一体的に形成し、これらの連結部を折り曲げることにより組み立てる構成とした。これにより部品点数を削減でき、また、折り曲げるだけで容易に組み立てられるので、組立工数を削減できる。その結果、レンズアレイユニットのコストを低減できる。
【００６５】
また、本第１実施形態に係るレンズアレイユニットは、レンズアレイプレートと遮光部材とを同じ材質で形成できるので、熱的な膨張量や収縮量が一様になる。従って、熱的な膨張や収縮に起因する光学性能の劣化を抑制できる。
【００６６】
また、本第１実施形態に係るレンズアレイユニットは、筒状の貫通孔を２つの分割貫通孔に分割できる構成としたので、貫通孔の形状を自由に設計できる。
【００６７】
例えば、図４に示すように、第１分割貫通孔３２ａおよび第２分割貫通孔３２ｂの内壁に溝を形成することができる。このように貫通孔の内壁に溝を形成することにより、該内壁に当たった光が散乱されるので、迷光を低減できる。このような溝は、射出成形において用いる金型の形状を変えることにより容易に形成できる。なお、分割されていない単なる貫通孔の場合、貫通孔の内壁に溝を形成するのは容易ではない。これは、貫通孔の内壁に溝を形成すると、貫通孔を形成するための金型のピンを遮光部材から抜くことができないからである。
【００６８】
また、上述の第１実施形態では、貫通孔を円柱、楕円柱または多角柱状に形成したが、貫通孔を２つの分割貫通孔に分割できる構成をとることにより、円錐台状、楕円錐台状、多角錐台状、樽型形状、蛇腹形状をはじめ、複数の凹凸や溝を貫通孔内部に形成することも可能である。なお、これらは例示であり限定されるものではない。内壁形状の設計の自由度が拡大することにより、貫通孔内壁を遮光壁とした光学系においては、より効果的に迷光を防止することができるなど、光学性能の向上が期待できる。
【００６９】
また、図２に示すように第１レンズアレイユニット２４ａと第２レンズアレイユニット２４ｂを積層して正立等倍レンズアレイを構成した場合、凸レンズ間の光線が通過する領域を遮光壁で囲むことができ、迷光を好適に除去でき、迷光のラインイメージセンサへの伝搬を防止できる。
【００７０】
図２に示す正立等倍レンズアレイ１１において、第１レンズアレイプレート２５ａの上面、第２レンズアレイプレート２５ｂの下面、第３レンズアレイプレート２５ｃの下面、第４レンズアレイプレート２５ｄの上面に凸レンズが形成されてもよい。この場合、より明るい光学系を形成できる。
【００７１】
図２に示した第１実施形態においては、第１レンズアレイユニットと第２レンズアレイユニットを当接させて積層することにより光学系を構成しているが、これらは離間していてもよい。この場合、２つのレンズアレイプレートの接触による擦傷を防止できる。正立等倍結像光学系においては、図２に示す第２レンズアレイプレート２５ｂと第４レンズアレイプレート２５ｄの接触面が光線の集光位置となる。従って、該接触面に傷やコンタミネーションが存在すると、結像面に傷やコンタミネーションの明確な像が生じ、光学性能が著しく低下する。従って、第２レンズアレイプレート２５ｂと第４レンズアレイプレート２５ｄとの間にギャップを設けることにより、光線の集光位置が空間に存在することになるので、光学性能の低下を防止できる。
【００７２】
上記においては、２つのレンズアレイプレートと２つの分割遮光部材を一体的に形成した実施形態を説明したが、光学系の設計に応じて、任意の数のレンズアレイプレートと遮光部材が一体的に形成されてもよい。
【００７３】
さらに本第１実施形態においては、２つのレンズアレイユニットを積層して正立等倍像を形成しているが、さらに３つ以上のレンズアレイユニットの積層構成でも同様の光学系の構成が可能である。あるいは、１つのレンズアレイユニットのみで、正立等倍などの光学系を構成することも可能である。この場合はさらに製造コストを低減でき、より安価な正立等倍レンズユニット、その他の光学仕様を有するレンズユニットの提供が可能である。これらは設計者が得ようとする光学仕様に応じて選択できるものである。
【００７４】
図６は、本発明の第２実施形態に係る正立等倍レンズアレイの断面図である。図６に示す正立等倍レンズアレイ６０において、上述の第１実施形態に係る正立等倍レンズアレイ１１と同一又は対応する構成要素については同一の符号を付し、重複する説明は適宜省略する。
【００７５】
２つのレンズアレイユニットを積層させて光学系を構成する際に、互いの光軸を合致させる目的で、位置決め用の凹凸をそれぞれのレンズアレイユニットの当接部分または近接部分の一部に設けることが可能である。図６に示す正立等倍レンズアレイ６０においては、第１レンズアレイユニット２４ａの第２レンズアレイプレート２５ｂと第２レンズアレイユニット２４ｂの第３レンズアレイプレート２５ｃ上に設けた凹凸によって、高精度の位置決めを実現させている。実施例においては第２レンズアレイプレート２５ｂの第３レンズアレイプレート２５ｃ側の面に凸部１０１ａを設け、当該凸部に対応した凹部１０１ｂを第３レンズアレイプレート２５ｃの第２レンズアレイプレート側の面に設けている。これらの凹凸については、主走査方向に長く延長した形状でもよいし、スポット形状でもよいが、レンズを通過する光線を阻害したり、迷光の原因となるような場所や形状であってはならないことは、当業者にとって理解されるところである。
【００７６】
図７は、本発明の第３実施形態に係る正立等倍レンズアレイを示す。また、図８は、本発明の第３実施形態に係る正立等倍レンズアレイの分解図を示す。
【００７７】
図７に示すように、本第３実施形態に係る正立等倍レンズアレイ７０は、第１レンズアレイプレート７１と、第２レンズアレイプレート７２と、第３レンズアレイプレート７３とが積層された構造となっている。そして、第１レンズアレイプレート７１と第２レンズアレイプレート７２との間に第１遮光部材７４が設けられ、第２レンズアレイプレート７２と第３レンズアレイプレート７３との間に第２遮光部材７５が設けられている。
【００７８】
第１レンズアレイプレート７１は、長方形状のプレートであり、その一方の面（下面）には複数の第１レンズ７１ａが主走査方向に沿って一列に形成されている。第１遮光部材７４は、主走査方向に沿って形成された複数の第１貫通孔７６を有する。第１遮光部材７４は、複数の第１貫通孔７６の中心を通る面にて分割された第１分割遮光部材７４ａおよび第２分割遮光部材７４ｂから構成される。第１分割遮光部材７４ａは第１分割貫通孔７６ａを有し、第２分割遮光部材７４ｂは第２分割貫通孔７６ｂを有する。なお、分割面は、必ずしも第１貫通孔７６の中心を通る面である必要はなく、複数の第１貫通孔７６の両開口端を通る面であればよい。
【００７９】
本第３実施形態において、第１レンズアレイプレート７１と第１遮光部材７４は、一体的に形成されている。すなわち、第１レンズアレイプレート７１の一方の副走査方向端部と、第１分割遮光部材７４ａの一方の副走査方向端部とが第１連結部８２を介して連結され、レンズアレイユニットが構成されている。また、第１分割遮光部材７４ａにおける第１連結部８２と反対側の副走査方向端部には、第１ラッチ部７８が形成されている。一方、第１レンズアレイプレート７１の他方の副走査方向端部は、第２分割遮光部材７４ｂの一方の副走査方向端部と第２連結部８３を介して連結されている。また、第２分割遮光部材７４ｂにおける第２連結部８３と反対側の副走査方向端部には、第２ラッチ部７９が形成されている。本第３実施形態においては、第１連結部８２および第２連結部８３を折り曲げることにより、第１分割貫通孔７６ａと第２分割貫通孔７６ｂとが組み合わされ、第１レンズ７１ａの正面に一方の開口部が位置するように第１貫通孔７６が形成される。
【００８０】
第３レンズアレイプレート７３および第２遮光部材７５もまた、第１レンズアレイプレート７１および第１遮光部材７４と同様に構成されている。すなわち、第３レンズアレイプレート７３は、長方形状のプレートであり、その一方の面（上面）には複数の第４レンズ７３ａが主走査方向に沿って一列に形成されている。第２遮光部材７５は、主走査方向に沿って形成された複数の第２貫通孔７７を有する。第２遮光部材７５は、複数の第２貫通孔７７の中心を通る面にて分割された第３分割遮光部材７５ａおよび第４分割遮光部材７５ｂから構成される。第３分割遮光部材７５ａは第３分割貫通孔７７ａを有し、第４分割遮光部材７５ｂは第４分割貫通孔７７ｂを有する。なお、分割面は、必ずしも第２貫通孔７７の中心を通る面である必要はなく、複数の第２貫通孔７７の両開口端を通る面であればよい。
【００８１】
第３レンズアレイプレート７３と第２遮光部材７５は、一体的に形成されている。すなわち、第３レンズアレイプレート７３の一方の副走査方向端部と、第３分割遮光部材７５ａの一方の副走査方向端部とが第３連結部８４を介して連結され、レンズアレイユニットが構成されている。また、第３分割遮光部材７５ａにおける第３連結部８４と反対側の副走査方向端部には、第３ラッチ部８０が形成されている。一方、第３レンズアレイプレート７３の他方の副走査方向端部は、第４分割遮光部材７５ｂの一方の副走査方向端部と第４連結部８５を介して連結されている。また、第４分割遮光部材７５ｂにおける第４連結部８５と反対側の副走査方向端部には、第４ラッチ部８１が形成されている。本第３実施形態においては、第３連結部８４および第４連結部８５を折り曲げることにより、第３分割貫通孔７７ａと第４分割貫通孔７７ｂとが組み合わされ、第４レンズ７３ａの正面に一方の開口部が位置するように第２貫通孔７７が形成される。
【００８２】
第２レンズアレイプレート７２は、長方形状のプレートであり、その一方の面（上面）には複数の第２レンズ７２ａが主走査方向に沿って一列に形成されており、他方の面（下面）には複数の第３レンズ７２ｂが主走査方向に沿って一列に形成されている。第２レンズアレイプレート７２の副走査方向両端には、第１凸部８６，第２凸部８７が形成されている。
【００８３】
以上のように構成された第１レンズアレイプレート７１、第２レンズアレイプレート７２および第３レンズアレイプレート７３は、図７に示すように、第２レンズ７２ａが第１貫通孔７６の開口部の正面に位置し、第３レンズ７２ｂが第２貫通孔７７の開口部の正面に位置するように積層され、これにより正立等倍レンズアレイ７０が組み立てられる。組み立てられた状態において、第１ラッチ部７８と第３ラッチ部８０は第２レンズアレイプレート７２の第１凸部８６と係合し、第２ラッチ部７９と第４ラッチ部８１は第２レンズアレイプレート７２の第２凸部８７と係合している。これにより、正立等倍レンズアレイ７０の組み付け状態が維持される。
【００８４】
本第３実施形態に係る正立等倍レンズアレイ７０においても、レンズアレイプレートと分割遮光部材を一体的に形成し、これらの連結部を折り曲げることにより組み立てる構成としている。これにより部品点数を削減でき、また、折り曲げるだけで容易に組み立てられるので、組立工数を削減できる。その結果、正立等倍レンズアレイ７０のコストを低減できる。
【００８５】
本第３実施形態においても、上述の第１実施形態と同様に、レンズと貫通孔との距離を規定するためのギャップ調整部がレンズアレイプレートに形成されてもよい。すなわち、第１レンズアレイプレート７１における第１レンズ７１ａが形成された面上に、第１レンズ７１ａと第１貫通孔７６との距離を規定するための第１ギャップ調整部が設けられてもよい。また、第２レンズアレイプレート７２における第２レンズ７２ａが形成された面上に、第２レンズ７２ａと第１貫通孔７６との距離を規定するための第２ギャップ調整部が設けられてもよい。また、第２レンズアレイプレート７２における第３レンズ７２ｂが形成された面上に、第３レンズ７２ｂと第２貫通孔７７との距離を規定するための第３ギャップ調整部が設けられてもよい。また、第３レンズアレイプレート７３における第４レンズ７３ａが形成された面上に、第４レンズ７３ａと第２貫通孔７７との距離を規定するための第４ギャップ調整部が設けられてもよい。
【００８６】
図９は、本発明の第４実施形態に係る正立等倍レンズアレイを示す。また、図１０は、本発明の第４実施形態に係る正立等倍レンズアレイの分解図を示す。図９および図１０に示す正立等倍レンズアレイ９０は、上述の第３実施形態に係る正立等倍レンズアレイ７０と同じように、第１レンズアレイプレート７１と、第２レンズアレイプレート７２と、第３レンズアレイプレート７３とが積層された構造となっている。そして、第１レンズアレイプレート７１と第２レンズアレイプレート７２との間に第１遮光部材７４が設けられ、第２レンズアレイプレート７２と第３レンズアレイプレート７３との間に第２遮光部材７５が設けられている。なお、正立等倍レンズアレイ９０において、上述の第３実施形態に係る正立等倍レンズアレイ７０と同一又は対応する構成要素については同一の符号を付し、重複する説明は適宜省略する。
【００８７】
本第４実施形態に係る正立等倍レンズアレイ９０は、第１遮光部材７４および第２遮光部材７５の分割のされ方が第３実施形態に係る正立等倍レンズアレイ７０と異なっている。この正立等倍レンズアレイ９０においては、副走査方向の一方の側に位置する第１分割遮光部材７４ａと第３分割遮光部材７５ａとが一体的に構成され、副走査方向の他方の側に位置する第２分割遮光部材７４ｂと第４分割遮光部材７５ｂとが一体的に構成されている。そして、一体的に構成された第１分割遮光部材７４ａおよび第３分割遮光部材７５ａと、第３レンズアレイプレート７３の一方の副走査方向端部とが第１連結部９１を介して連結され、レンズアレイユニットが構成されている。また、一体的に構成された第２分割遮光部材７４ｂおよび第４分割遮光部材７５ｂと、第１レンズアレイプレート７１の一方の副走査方向端部とが第２連結部９２を介して連結され、レンズアレイユニットが構成されている。
【００８８】
正立等倍レンズアレイ９０を組み立てる際には、第１連結部９１を折り曲げて、第４レンズ７３ａの半分の正面に第３分割貫通孔７７ａを位置させる。また、第２連結部９２を折り曲げて、第１レンズ７１ａの半分の正面に第２分割貫通孔７６ｂを位置させる。そして、第１分割遮光部材７４ａと第３分割遮光部材７５ａの間に形成された凹部９３と、第２分割遮光部材７４ｂと第４分割遮光部材７５ｂとの間に形成された凹部９４とに第２レンズアレイプレート７２を挿入することにより、正立等倍レンズアレイ９０が組み付けられる。
【００８９】
本第４実施形態に係る正立等倍レンズアレイ９０においても、レンズアレイプレートと分割遮光部材を一体的に形成し、これらの連結部を折り曲げることにより組み立てる構成としている。これにより部品点数を削減でき、また、折り曲げるだけで容易に組み立てられるので、組立工数を削減できる。その結果、正立等倍レンズアレイ９０のコストを低減できる。
【００９０】
本第４実施形態においても、上述の第１実施形態と同様に、レンズと貫通孔との距離を規定するためのギャップ調整部がレンズアレイプレートに形成されてもよい。
【００９１】
図１１は、本発明の第５実施形態に係る正立等倍レンズアレイを示す。また、図１２は、本発明の第５実施形態に係る正立等倍レンズアレイの分解図を示す。図１１および図１２に示す正立等倍レンズアレイ１１０は、上述の第３実施形態に係る正立等倍レンズアレイと同じように、第１レンズアレイプレート７１と、第２レンズアレイプレート７２と、第３レンズアレイプレート７３とが積層された構造となっている。そして、第１レンズアレイプレート７１と第２レンズアレイプレート７２との間に第１遮光部材７４が設けられ、第２レンズアレイプレート７２と第３レンズアレイプレート７３との間に第２遮光部材７５が設けられている。なお、正立等倍レンズアレイ１１０において、上述の第３実施形態に係る正立等倍レンズアレイ７０と同一又は対応する構成要素については同一の符号を付し、重複する説明は適宜省略する。
【００９２】
本第５実施形態においては、第１遮光部材７４および第２遮光部材７５がそれぞれ副走査方向に平行な面で分割されている。すなわち、第１遮光部材７４が第１分割遮光部材１０５と第２分割遮光部材１０６とに分割されており、第２遮光部材７５が第３分割遮光部材１０７と第４分割遮光部材１０８とに分割されている。第１分割遮光部材１０５には第１分割貫通孔９５が形成され、第２分割遮光部材１０６には第２分割貫通孔９６が形成され、第３分割遮光部材１０７には第３分割貫通孔９７が形成され、第４分割遮光部材１０８には第４分割貫通孔９８が形成されている。なお、分割面は、必ずしも副走査方向に平行な面である必要はなく、複数の貫通孔の中心軸と交差する面であればよい。
【００９３】
本第５実施形態においては、第１分割遮光部材１０５と、第１レンズアレイプレート７１の一方の副走査方向端部とが第１連結部９９を介して連結され、レンズアレイユニットが構成されている。また、第２レンズアレイプレート７２、第２分割遮光部材１０６、および第３分割遮光部材１０７が一体的に形成され、レンズアレイユニットが構成されている。すなわち、第２分割遮光部材１０６と、第２レンズアレイプレート７２の一方の副走査方向端部とが第２連結部１０２を介して連結されており、第３分割遮光部材１０７と、第２レンズアレイプレート７２の他方の副走査方向端部とが第３連結部１０３を介して連結されている。また、第４分割遮光部材１０８と、第３レンズアレイプレート７３の一方の副走査方向端部とが第４連結部１０４を介して連結され、レンズアレイユニットが構成されている。本第５実施形態においては、第１連結部９９、第２連結部１０２、第３連結部１０３および第４連結部１０４は、折り曲げやすいよう薄厚且つ副走査方向に長く形成されている。
【００９４】
正立等倍レンズアレイ１１０を組み立てる際には、第１連結部９９を折り曲げて、第１レンズアレイプレート７１の第１レンズ７１ａの正面に第１分割貫通孔９５を位置させる。また、第２連結部１０２を折り曲げて、第２レンズアレイプレート７２の第２レンズ７２ａの正面に第２分割貫通孔９６を位置させる。また、第３連結部１０３を折り曲げて、第２レンズアレイプレート７２の第３レンズ７２ｂの正面に第３分割貫通孔９７を位置させる。また、第４連結部１０４を折り曲げて、第３レンズアレイプレート７３の第４レンズ７３ａの正面に第４分割貫通孔９８を位置させる。その後、第１分割貫通孔９５と第２分割貫通孔９６とが上下に組み合わされて第１貫通孔７６が形成され、第３分割貫通孔９７と第４分割貫通孔９８とが上下に組み合わされて第２貫通孔７７形成されるように第１レンズアレイプレート７１、第２レンズアレイプレート７２および第３レンズアレイプレート７３が積層され、正立等倍レンズアレイ１１０が組み立てられる。
【００９５】
本第５実施形態に係る正立等倍レンズアレイ１１０においても、レンズアレイプレートと分割遮光部材を一体的に形成し、これらの連結部を折り曲げることにより組み立てる構成としている。これにより部品点数を削減でき、また、折り曲げるだけで容易に組み立てられるので、組立工数を削減できる。その結果、正立等倍レンズアレイ１１０のコストを低減できる。
【００９６】
本第５実施形態においても、上述の第１実施形態と同様に、レンズと貫通孔との距離を規定するためのギャップ調整部がレンズアレイプレートに形成されてもよい。
【００９７】
図１３は、本発明の第６実施形態に係る正立等倍レンズアレイを示す。また、図１４は、本発明の第６実施形態に係る正立等倍レンズアレイの分解図を示す。図１３および図１４に示す正立等倍レンズアレイ１３０は、上述の第１実施形態に係る正立等倍レンズアレイと同じように、第１レンズアレイユニット２４ａと、第２レンズアレイユニット２４ｂの２つのレンズアレイユニットが積層された構造となっている。正立等倍レンズアレイ１３０において、上述の第１実施形態に係る正立等倍レンズアレイ１１と同一又は対応する構成要素については同一の符号を付し、重複する説明は適宜省略する。
【００９８】
本第６実施形態に係る正立等倍レンズアレイ１３０は、第１遮光部材２６ａおよび第２遮光部材２６ｂの分割の仕方が第１実施形態に係る正立等倍レンズアレイ１１と異なる。正立等倍レンズアレイ１３０では、第１遮光部材２６ａは、副走査方向に平行な面にて第１分割遮光部材３１ａと第２分割遮光部材３１ｂとに分割されている。また、第２遮光部材２６ｂは、副走査方向に平行な面にて第３分割遮光部材３１ｃと第４分割遮光部材３１ｄとに分割されている。第１分割遮光部材３１ａには第１分割貫通孔３２ａが形成され、第２分割遮光部材３１ｂには第２分割貫通孔３２ｂが形成され、第３分割遮光部材３１ｃには第３分割貫通孔３２ｃが形成され、第４分割遮光部材３１ｄには第４分割貫通孔３２ｄが形成されている。なお、分割面は、必ずしも副走査方向に平行な面である必要はなく、複数の貫通孔の中心軸と交差する面であればよい。
【００９９】
図１４に示すように第１レンズアレイユニット２４ａにおいては、第１レンズアレイプレート２５ａの一方の副走査方向端部は、第１分割遮光部材３１ａの一方の副走査方向端部と第１連結部１３１を介して連結されている。また、第１分割遮光部材３１ａの他方の端部は、第２分割遮光部材３１ｂの一方の副走査方向端部と第２連結部１３２を介して連結されている。また、第２分割遮光部材３１ｂの他方の副走査方向端部は、第２レンズアレイプレート２５ｂの一方の副走査方向端部と第３連結部１３３を介して連結されている。第１レンズアレイユニット２４ａにおいては、このように第１レンズアレイプレート２５ａ、第１分割遮光部材３１ａ、第２分割遮光部材３１ｂおよび第２レンズアレイプレート２５ｂが一体的に構成されている。
【０１００】
また、第２レンズアレイユニット２４ｂにおいては、第３レンズアレイプレート２５ｃの一方の副走査方向端部は、第３分割遮光部材３１ｃの一方の副走査方向端部と第４連結部１３４を介して連結されている。また、第３分割遮光部材３１ｃの他方の端部は、第４分割遮光部材３１ｄの一方の副走査方向端部と第５連結部１３５を介して連結されている。また、第４分割遮光部材３１ｄの他方の副走査方向端部は、第４レンズアレイプレート２５ｄの一方の副走査方向端部と第６連結部１３６を介して連結されている。第２レンズアレイユニット２４ｂにおいては、このように第３レンズアレイプレート２５ｃ、第３分割遮光部材３１ｃ、第４分割遮光部材３１ｄおよび第４レンズアレイプレート２５ｄが一体的に構成されている。
【０１０１】
正立等倍レンズアレイ１３０を組み立てる際には、まず第１レンズアレイユニット２４ａと第２レンズアレイユニット２４ｂをそれぞれ組み立てる。具体的には、第１レンズ２７ａが第１貫通孔３０ａの一方の開口部の正面に位置し、第２レンズ２７ｂが第１貫通孔３０ａの他方の開口部の正面に位置するように第１〜第３連結部１３１〜１３３を折り曲げることにより、第１レンズアレイユニット２４ａが組み立てられる。また、第３レンズ２７ｃが第２貫通孔３０ｂの一方の開口部の正面に位置し、第４レンズ２７ｄが第２貫通孔３０ｂの他方の開口部の正面に位置するように第４〜第６連結部１３４〜１３６を折り曲げることにより、第２レンズアレイユニット２４ｂが組み立てられる。その後、第２レンズアレイプレート２５ｂのレンズの形成されていない面と、第４レンズアレイプレート２５ｄのレンズの形成されていない面とが対向するように第１レンズアレイユニット２４ａと第２レンズアレイユニット２４ｂが積層され、正立等倍レンズアレイ１３０が組み立てられる。図１３に示した実施形態においては、第１レンズアレイユニットと第２レンズアレイユニットを当接させて積層することにより光学系を構成しているが、これらは離間していてもよい。
【０１０２】
以上説明したように、本第６実施形態に係る正立等倍レンズアレイ１３０は、２つのレンズアレイプレートと２つの分割遮光部材を一体的に形成し、これらの連結部を折り曲げることにより組み立てる構成とした。これにより部品点数を削減でき、また、折り曲げるだけで容易に組み立てられるので、組立工数を削減できる。
【０１０３】
また、本第６実施形態に係る正立等倍レンズアレイ１３０においては、第１レンズアレイユニット２４ａの第２レンズアレイプレート２５ｂと第２レンズアレイユニット２４ｂの第４レンズアレイプレート２５ｄ上に設けた凹凸によって、高精度の位置決めを実現させている。
【０１０４】
本第６実施形態においても、上述の第１実施形態と同様に、レンズと貫通孔との距離を規定するためのギャップ調整部がレンズアレイプレートに形成されてもよい。
【０１０５】
また、本第６実施形態においても、レンズアレイユニットが組み付けられた状態を維持するためのラッチ部が設けられてもよい。
【０１０６】
図１５は、本発明の第７実施形態に係る正立等倍レンズアレイを示す。また、図１６は、本発明の第７実施形態に係る正立等倍レンズアレイの分解図を示す。図１５および図１６に示す正立等倍レンズアレイ１５０は、第１レンズアレイプレート７１と、第２レンズアレイプレート７２と、第３レンズアレイプレート７３とが積層され、第１レンズアレイプレート７１と第２レンズアレイプレート７２との間に第１遮光部材７４が設けられ、第２レンズアレイプレート７２と第３レンズアレイプレート７３との間に第２遮光部材７５が設けられた構造となっている。そして、正立等倍レンズアレイ１５０は、上述の第５実施形態に係る正立等倍レンズアレイ１１０と同じように、第１遮光部材７４および第２遮光部材７５がそれぞれ副走査方向に平行な面で分割された構造となっている。なお、上述の第５実施形態と同様に、分割面は、必ずしも副走査方向に平行な面でなくてもよい。正立等倍レンズアレイ１５０において、上述の第５実施形態に係る正立等倍レンズアレイ１１０と同一又は対応する構成要素については同一の符号を付し、重複する説明は適宜省略する。
【０１０７】
図１６に示すように、正立等倍レンズアレイ１５０においては、第１レンズアレイプレート７１、第２レンズアレイプレート７２、第３レンズアレイプレート７３、第１分割遮光部材１０５、第２分割遮光部材１０６、第３分割遮光部材１０７および第４分割遮光部材１０８が一体的に形成されている。正立等倍レンズアレイ１５０において、第１レンズアレイプレート７１の一方の副走査方向端部は、第１連結部１１１を介して第１分割遮光部材１０５の一方の副走査方向端部と連結されており、第１分割遮光部材１０５の他方の副走査方向端部は、第２連結部１１２を介して第２分割遮光部材１０６の一方の副走査方向端部と連結されており、第２分割遮光部材１０６の他方の副走査方向端部は、第３連結部１１３を介して第２レンズアレイプレート７２の一方の副走査方向端部と連結されており、第２レンズアレイプレート７２の他方の副走査方向端部は、第４連結部１１４を介して第３分割遮光部材１０７の一方の副走査方向端部と連結されており、第３分割遮光部材１０７の他方の副走査方向端部は、第５連結部１１５を介して第４分割遮光部材１０８の一方の副走査方向端部と連結されており、第４分割遮光部材１０８の他方の副走査方向端部は、第６連結部１１６を介して第３レンズアレイプレート７３の一方の副走査方向端部と連結されている。
【０１０８】
正立等倍レンズアレイ１５０は、第１レンズアレイプレート７１、第１分割遮光部材１０５、第２分割遮光部材１０６、第２レンズアレイプレート７２、第３分割遮光部材１０７、第４分割遮光部材１０８および第３レンズアレイプレート７３を連結する第１〜第６連結部１１１〜１１６を折り曲げることにより、第１レンズ７１ａが第１貫通孔７６の一方の開口部の正面に位置し、第２レンズ７２ａが第１貫通孔７６の他方の開口部の正面に位置し、第３レンズ７２ｂが第２貫通孔７７の一方の開口部の正面に位置し、第４レンズ７３ａが第２貫通孔７７の他方の開口部の正面に位置するように組み付けられる。
【０１０９】
本第７実施形態に係る正立等倍レンズアレイ１５０は、正立等倍レンズアレイ１５０を構成する全ての構成要素（３つのレンズアレイプレートと４つの分割遮光部材）を一体的に形成し、これらの連結部を折り曲げることにより組み立てる構成とした。これにより部品点数を削減でき、また、折り曲げるだけで容易に組み立てられるので、組立工数を大きく削減できる。
【０１１０】
本第７実施形態においても、上述の第１実施形態と同様に、レンズと貫通孔との距離を規定するためのギャップ調整部がレンズアレイプレートに形成されてもよい。
【０１１１】
また、本第７実施形態においても、正立等倍レンズアレイが組み付けられた状態を維持するためのラッチ部が設けられてもよい。
【０１１２】
図１７（ａ）〜図１７（ｃ）は、分割遮光部材の貫通孔周辺の拡大図である。図１７（ａ）〜図１７（ｃ）は、例えば図２に示す第１実施形態のように、複数の第１貫通孔の中心を通る分割面にて第１遮光部材が分割された第１分割遮光部材３１ａの第１分割貫通孔３２ａ周辺を図示している。図１７（ａ）〜図１７（ｃ）に示す第１分割遮光部材３１ａは、第２分割遮光部材と接触する接触部１７０の構造がそれぞれ異なっている。
【０１１３】
図１７（ａ）に示す接触部１７０は、平面状に形成されている。図１７（ｂ）に示す接触部１７０は、第２分割遮光部材の接触部と嵌合する凹凸構造が形成されている。図１７（ｃ）にも、第２分割遮光部材の接触部と嵌合する凹凸構造が形成されている。上述の実施形態に係る分割遮光部材に、この図１７（ｂ）および図１７（ｃ）に示すような凹凸構造を形成することにより、分割貫通孔同士の位置ずれが無くなるまたは減少するので、正立等倍レンズアレイの光学特性を向上できる。
【０１１４】
上述の第１〜第４実施形態においては、遮光部材は、複数の貫通孔の中心を通る分割面によって第１分割遮光部材と第２分割遮光部材とに分割されている。しかしながら、分割面は、必ずしも貫通孔の中心を通る面である必要はない。組み立て後において遮光壁として機能する筒状の貫通孔が形成されればよいので、その分割面は設計者の都合により任意に設定することが可能である。以下、遮光部材の変形例を示す。
【０１１５】
図１８（ａ）および（ｂ）は、第１〜第４実施形態における遮光部材の分割方法の変形例を説明するための図である。図１８（ａ）は遮光部材の正面図であり、図１８（ｂ）は遮光部材のＸ−Ｘ断面図である。図１８（ａ）および（ｂ）に示す遮光部材１８０は、分割面１８２により第１分割遮光部材１８０ａと第２分割遮光部材１８０ｂとに分割されている。第１分割遮光部材１８０ａに形成された第１分割貫通孔１８４ａと、第２分割遮光部材１８０ｂに形成された第２分割貫通孔１８４ｂとが組み合わされて、貫通孔１８４が形成される。この遮光部材１８０において、分割面１８２は、複数の貫通孔１８４の中心を通る面から副走査方向にずれて位置している。本変形例に示すように、分割面１８２は、複数の貫通孔１８４の両開口端１８４ｃ、１８４ｄを通る面であればよい。
【０１１６】
図１９（ａ）および（ｂ）は、第１〜第４実施形態における遮光部材の分割方法の別の変形例を説明するための図である。図１９（ａ）は遮光部材の正面図であり、図１９（ｂ）は遮光部材のＸ−Ｘ断面図である。図１９（ａ）および（ｂ）に示す遮光部材１８０もまた、分割面１８２により第１分割遮光部材１８０ａと第２分割遮光部材１８０ｂとに分割されている。本変形例において、分割面１８２は、図１９（ｂ）に示すように貫通孔１８４の高さ方向に対して傾斜している。本変形例においても、分割面１８２は、複数の貫通孔１８４の両開口端１８４ｃ、１８４ｄを通る面となっている。
【０１１７】
図２０（ａ）および（ｂ）は、第１〜第４実施形態における遮光部材の分割方法のさらに別の変形例を説明するための図である。図２０（ａ）は遮光部材の正面図であり、図２０（ｂ）は遮光部材のＸ−Ｘ断面図である。図２０（ａ）および（ｂ）に示す遮光部材１８０もまた、分割面１８２により第１分割遮光部材１８０ａと第２分割遮光部材１８０ｂとに分割されている。本変形例において、分割面１８２は、図２０（ｂ）に示すように一平面ではなく、段差を有する面となっている。本変形例においても、分割面１８２は、複数の貫通孔１８４の両開口端１８４ｃ、１８４ｄを通る面となっている。
【０１１８】
図２１（ａ）および（ｂ）は、第１〜第４実施形態における遮光部材の分割方法のさらに別の変形例を説明するための図である。図２１（ａ）は遮光部材の正面図であり、図２１（ｂ）は遮光部材のＸ−Ｘ断面図である。図２１（ａ）および（ｂ）に示す遮光部材１８０もまた、分割面１８２により第１分割遮光部材１８０ａと第２分割遮光部材１８０ｂとに分割されている。本変形例において、分割面１８２は、図２１（ｂ）に示すように一平面ではなく、凸部（または凹部）を有する面となっている。本変形例においても、分割面１８２は、複数の貫通孔１８４の両開口端１８４ｃ、１８４ｄを通る面となっている。
【０１１９】
上述の第５〜第７実施形態においては、遮光部材は、副走査方向に平行な面で分割されている。しかしながら、分割面は、必ずしも副走査方向に平行な面である必要はない。組み立て後において遮光壁として機能する筒状の貫通孔が形成されればよいので、その分割面は設計者の都合により任意に設定することが可能である。以下、遮光部材の変形例を示す。
【０１２０】
図２２（ａ）および（ｂ）は、第５〜第７実施形態における遮光部材の分割方法の変形例を説明するための図である。図２２（ａ）は遮光部材の正面図であり、図２２（ｂ）は遮光部材のＹ−Ｙ断面図である。図２２（ａ）および（ｂ）に示す遮光部材１８０は、分割面１８２により第１分割遮光部材１８０ａと第２分割遮光部材１８０ｂとに分割されている。第１分割遮光部材１８０ａに形成された第１分割貫通孔１８４ａと、第２分割遮光部材１８０ｂに形成された第２分割貫通孔１８４ｂとが組み合わされて、貫通孔１８４が形成される。この遮光部材１８０において、分割面１８２は、副走査方向に平行な平面ではなく、鋸刃状の面となっている。本変形例に示すように、分割面１８２は、複数の貫通孔１８４の中心軸ＣＬと交差する面であればよい。
【０１２１】
図２３（ａ）および（ｂ）は、第５〜第７実施形態における遮光部材の分割方法のさらにべつの変形例を説明するための図である。図２３（ａ）は遮光部材の正面図であり、図２３（ｂ）は遮光部材のＹ−Ｙ断面図である。図２３（ａ）および（ｂ）に示す遮光部材１８０は、分割面１８２により第１分割遮光部材１８０ａと第２分割遮光部材１８０ｂとに分割されている。本変形例において、分割面１８２は、副走査方向に平行な平面ではなく、凹凸を有する面となっている。本変形例においても、分割面１８２は、複数の貫通孔１８４の中心軸ＣＬと交差する面となっている。
【０１２２】
図２４は、本発明の別の実施形態に係る画像書込装置２００を説明するための図である。図２４に示すように、画像書込装置２００は、複数のＬＥＤがアレイ状に配列されたＬＥＤアレイ２０６と、ＬＥＤアレイ２０６が搭載された基板２０４と、ＬＥＤアレイ２０６を制御する制御部２０２と、ＬＥＤアレイ２０６から出射された光を集光する上述の正立等倍レンズアレイ１１と、正立等倍レンズアレイ１１を透過した光を受光する感光体ドラム２０８と、上記構成要素を収容する筐体２１０とを備える。なお、図２４においては、感光体ドラム２０８の周辺に設けられる現像装置、転写装置などについては図示を省略している。図１に示す画像読取装置１００の原稿Ｇを、画像書込装置２００では感光体ドラム２０８に置き換え、更に、画像読取装置１００のラインイメージセンサ２０を画像書込装置２００のＬＥＤアレイ２０６に置き換えることで、画像読取装置１００に関して説明した事項は、画像書き込み装置にも当てはまる。
【０１２３】
画像書込装置２００は、ＬＥＤを光源に用いた所謂ＬＥＤプリントヘッド方式の画像書込装置である。ＬＥＤプリントヘッド方式は、画素と発光源が１対１に対応しており、走査機構が不要である。従って、レーザ光源とポリゴンミラーを組み合わせたレーザＲＯＳ（Raster Output Scanner）方式と比べて、装置を小型且つ軽量化できる。
【０１２４】
従来、ＬＥＤプリントヘッド方式の正立等倍レンズアレイとしては、ロッドレンズアレイが用いられていたが、本発明に係る正立等倍レンズアレイ１１を用いることにより、より安価な画像書込装置２００を実現できる。
【０１２５】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【０１２６】
１０  光走査ユニット、  １１、６０、７０、９０、１１０、１３０、１５０  正立等倍レンズアレイ、  １２  筐体、  １４  ガラス板、  ２０  ラインイメージセンサ、  ２４ａ  第１レンズアレイユニット、  ２４ｂ  第２レンズアレイユニット、  ２５ａ、７１  第１レンズアレイプレート、  ２５ｂ、７２  第２レンズアレイプレート、  ２５ｃ、７３  第３レンズアレイプレート、  ２５ｄ  第４レンズアレイプレート、  ２６ａ、７４  第１遮光部材、  ２６ｂ、７５  第２遮光部材、  ２７ａ、７１ａ  第１レンズ、  ２７ｂ、７２ａ  第２レンズ、  ２７ｃ、７２ｂ  第３レンズ、  ２７ｄ、７３ａ  第４レンズ、  ３１ａ、７４ａ、１０５  第１分割遮光部材、  ３１ｂ、７４ｂ、１０６  第２分割遮光部材、  ３１ｃ、７５ａ、１０７  第３分割遮光部材、  ３１ｄ、７５ｂ、１０８  第４分割遮光部材、  ４５  ラッチ部、  １００  画像読取装置、  １７０  接触部、  １８０  遮光部材、  １８０ａ  第１分割遮光部材、  １８０ｂ  第２分割遮光部材、  １８２  分割面、  １８４  貫通孔、  １８４ａ  第１分割貫通孔、  １８４ｂ  第２分割貫通孔、  １８４ｃ、１８４ｄ  開口端、  ２００  画像書込装置、  ２０２  制御部、  ２０４  基板、  ２０６  ＬＥＤアレイ、  ２０８  感光体ドラム、  ２１０  筐体。
【図１】
0005863512.tif 000002
【図２】
0005863512.tif 000003
【図３】
0005863512.tif 000004
【図４】
0005863512.tif 000005
【図５】
0005863512.tif 000006
【図６】
0005863512.tif 000007
【図７】
0005863512.tif 000008
【図８】
0005863512.tif 000009
【図９】
0005863512.tif 000010
【図１０】
0005863512.tif 000011
【図１１】
0005863512.tif 000012
【図１２】
0005863512.tif 000013
【図１３】
0005863512.tif 000014
【図１４】
0005863512.tif 000015
【図１５】
0005863512.tif 000016
【図１６】
0005863512.tif 000017
【図１７】
0005863512.tif 000018
【図１８】
0005863512.tif 000019
【図１９】
0005863512.tif 000020
【図２０】
0005863512.tif 000021
【図２１】
0005863512.tif 000022
【図２２】
0005863512.tif 000023
【図２３】
0005863512.tif 000024
【図２４】
0005863512.tif 000025